(57)【要約】    【目的】  単位仕切壁と支持アームとに突起部と係合孔を設けることにより、支持アームを単位仕切壁に対して取り付け容易とした温冷蔵装置を提供する。    【構成】  支持アーム４４は、第１壁部４９に対して、突起７０、７１を係合孔８３、８４に係合させるとともに、固定ネジ９２をネジ孔８１を介してインサートナット６７に固定することにより取り付けられ、また、支持アーム４５は、第２壁部５０に対して、突起７２、７３を係合孔８５、８６に係合させるとともに、固定ネジ９３をネジ孔８２を介してインサートナット６８に固定することにより取り付けられるように構成する。    【選択図】  図１１
2005241040.tif 000002
【特許請求の範囲】
【請求項１】
断熱箱体と、前記断熱箱体内に形成された温蔵室と、同じく前記断熱箱体内に形成された冷蔵室と、複数個の単位仕切壁により構成され温蔵室と冷蔵室との間を仕切る仕切壁と、単位仕切壁を断熱箱体に対して支持する第１支持アーム及び第２支持アームとを有する温冷蔵装置において、
前記単位仕切壁は、前記第１支持アームが取り付けられ前記温蔵室に接する第１壁部と、
前記第２支持アームが取り付けられ前記冷蔵室に接する第２壁部とを備え、
前記第１壁部と前記第１支持アームの一方に第１係合部を有し、他方に第１係合部と係合する第１被係合部を有し、
前記第２壁部と前記第２支持アームの一方に第２係合部を有し、他方に第２係合部と係合する第２被係合部を有することを特徴とする温冷蔵装置。
【請求項２】
前記第１壁部及び前記第１支持アームは、第１支持アームを第１壁部に固定する第１固着部を有し、
前記第２壁部及び前記第２支持アームは、第２支持アームを第２壁部に固定する第２固着部を有し、
前記第１係合部及び第１被係合部は前記第１固着部を中心に対称に位置するとともに、前記第２係合部及び第２被係合部は前記第２固着部を中心に対称に位置することを特徴とする請求項１に記載の温冷蔵装置。
【請求項３】
断熱箱体と、前記断熱箱体内に形成された温蔵室と、同じく前記断熱箱体内に形成された冷蔵室と、複数個の単位仕切壁により構成され温蔵室と冷蔵室との間を仕切る仕切壁と、単位仕切壁を断熱箱体に対して支持する第１支持アーム及び第２支持アームとを有する温冷蔵装置において、
前記単位仕切壁は、前記第１支持アームが取り付けられ前記温蔵室に接する第１壁部と、
前記第２支持アームが取り付けられ前記冷蔵室に接する第２壁部と、
前記単位仕切壁の長手方向の略中央部にて前記第１壁部と第２壁部とを連結する補強壁部とを有し、
前記補強壁部は、前記第１壁部及び第２壁部と一体に樹脂成形されることを特徴とする温冷蔵装置。
【請求項４】
前記補強壁部は、前記第１壁部に対して前記第１支持アームが取り付けられた取り付け位置と、前記第２壁部に対して第２支持アームが取り付けられた取り付け位置とを連結することを特徴とする請求項３に記載の温冷蔵装置。
【発明の詳細な説明】
【技術分野】
【０００１】
本発明は、温蔵室と冷蔵室を仕切る仕切壁を有する温冷蔵装置に関し、特に、仕切壁を構成する単位仕切壁と第１及び第２支持アームにそれぞれ第１及び第２係合部と第１及び第２被係合部を設けた温冷蔵装置に関するものである。
【背景技術】
【０００２】
例えば、病院やホテル等では、主食や副食、デザート等を各々盛り付けた食器を載せたトレイを多数収納する温冷蔵装置を備えた配膳車が利用されている。このような温冷蔵装置は、断熱箱体に断熱性の単位仕切壁を複数個積み上げて仕切壁が形成され、仕切壁の左右両側にそれぞれ温蔵室と冷蔵室が形成されている。そして、トレイ上に温食と冷食とを分けて載せ、上下の単位仕切壁の間にトレイを通して両室に跨ってトレイを収納することで、温食は保温状態、冷食は保冷状態に保持して貯蔵することができる。
また、従来より、温冷蔵装置に使用される単位仕切壁を断熱箱体に対して支持する手段として支持アームが用いられているが、支持アームを単位支持壁に固定する方法としては、特開２０００−２３４８５４号公報に示すように、支持アームの取付部、単位仕切壁の側板及び補強部材の左右の面にわたって、それぞれ４個ずつのリベット孔が方形状に配され、取付部、単位仕切壁の側板及び補強部材にわたって整合されたリベット孔に対してリベットを打ち込むことによって、単位仕切壁の取付面に支持アームを左右両側に突出して固定している。
【特許文献１】特開２０００−２３４８５４号公報（第４頁〜第５頁、図２〜図４）
【発明の開示】
【発明が解決しようとする課題】
【０００３】
しかしながら、前記した特許文献１にかかる温冷蔵装置では、単位仕切壁１つあたり１２本のリベット打ちが必要となり、特に単位仕切壁が多数使用される温冷蔵装置では、その作業量は膨大となっていた。更に、部品数も増加し、組立作業も煩雑となっていた。また、リベットによる締め付け箇所が多いので、応力の集中により樹脂成形された単位仕切壁が破損してしまう虞があった。
本発明は、前記従来の技術における問題点を解消するためになされたものであり、突起部及び係合孔を設けることにより、第１及び第２支持アームの単位仕切壁に対しての取り付け及び取り外しが容易となるとともに、固定に要するリベット等の固定具の数も減少することから組立作業が簡易となる温冷蔵装置を提供することを目的とする。また、リベット等による締め付け部分を減少させることができるので、応力集中による単位支持壁の破損を防止することができる温冷蔵装置を提供することを目的とする。
【課題を解決するための手段】
【０００４】
前記目的を達成するために、請求項１に係る温冷蔵装置は、断熱箱体と、前記断熱箱体内に形成された温蔵室と、同じく前記断熱箱体内に形成された冷蔵室と、複数個の単位仕切壁により構成され温蔵室と冷蔵室との間を仕切る仕切壁と、単位仕切壁を断熱箱体に対して支持する第１支持アーム及び第２支持アームとを有する温冷蔵装置において、前記単位仕切壁は、前記第１支持アームが取り付けられ前記温蔵室に接する第１壁部と、前記第２支持アームが取り付けられ前記冷蔵室に接する第２壁部とを備え、前記第１壁部と前記第１支持アームの一方に第１係合部を有し、他方に第１係合部と係合する第１被係合部を有し、前記第２壁部と前記第２支持アームの一方に第２係合部を有し、他方に第２係合部と係合する第２被係合部を有することを特徴とする。
【０００５】
また、請求項２に係る温冷蔵装置は、請求項１に記載の温冷蔵装置において、前記第１壁部及び前記第１支持アームは、第１支持アームを第１壁部に固定する第１固着部を有し、前記第２壁部及び前記第２支持アームは、第２支持アームを第２壁部に固定する第２固着部を有し、前記第１係合部及び第１被係合部は前記第１固着部を中心に対称に位置するとともに、前記第２係合部及び第２被係合部は前記第２固着部を中心に対称に位置することを特徴とする。
【０００６】
また、請求項３に係る温冷蔵装置は、断熱箱体と、前記断熱箱体内に形成された温蔵室と、同じく前記断熱箱体内に形成された冷蔵室と、複数個の単位仕切壁により構成され温蔵室と冷蔵室との間を仕切る仕切壁と、単位仕切壁を断熱箱体に対して支持する第１支持アーム及び第２支持アームとを有する温冷蔵装置において、前記単位仕切壁は、前記第１支持アームが取り付けられ前記温蔵室に接する第１壁部と、前記第２支持アームが取り付けられ前記冷蔵室に接する第２壁部と、前記単位仕切壁の長手方向の略中央部にて前記第１壁部と第２壁部とを連結する補強壁部とを有し、前記補強壁部は、前記第１壁部及び第２壁部と一体に樹脂成形されることを特徴とする。
【０００７】
また、請求項４に係る温冷蔵装置は、請求項３に記載の温冷蔵装置において、前記補強壁部は、前記第１壁部に対して前記第１支持アームが取り付けられた取り付け位置と、前記第２壁部に対して第２支持アームが取り付けられた取り付け位置とを連結することを特徴とする。
【発明の効果】
【０００８】
請求項１に係る温冷蔵装置では、単位仕切壁の第１壁部と第１支持アームの一方に第１係合部を有し、他方に第１係合部と係合する第１被係合部を有するとともに、単位仕切壁の第２壁部と第２支持アームの一方に第２係合部を有し、他方に第２係合部と係合する第２被係合部を有するので、第１及び第２係合部と第１及び第２被係合部を係合させて第１支持アーム及び第２支持アームを単位仕切壁に取り付けることが可能である。従って、位置決めが容易となることから第１及び第２支持アームの単位仕切壁に対しての取り付け及び取り外しが容易となり、且つ固定に要するネジ等の固定具の数も減少させることが可能である。また、固定具による締め付け部分を減少させることができるので、応力集中による単位支持壁の破損を防止することができる。
【０００９】
また、請求項２に係る温冷蔵装置では、第１係合部及び第１被係合部は、第１支持アームを第１壁部に固定する第１固着部を中心に対称に位置するとともに、第２係合部及び第２被係合部は、第２支持アームを第２壁部に固定する第２固着部を中心に対称に位置するので、第１及び第２係合部と第１及び第２被係合部を係合させた際に、第１支持アーム及び第２支持アームを単位仕切壁に対して、より確実に位置決めすることが可能である。従って、第１及び第２支持アームを単位仕切壁に対して強固に固定することが可能となる。
【００１０】
また、請求項３に係る温冷蔵装置では、単位仕切壁の長手方向の略中央部にて第１壁部と第２壁部とを連結する補強壁部を有するとともに、補強壁部が第１壁部及び第２壁部と一体に樹脂成形されるので、別途補強部材を成形し、単位仕切壁に取り付けることなく、組立工数を減少させることができる。また、補強が必要となる長手方向の中央部のみを連結させた補強壁部を成形できる。更に、樹脂により成形されるので、安価で、且つ金属で成形した場合と比較して断熱性を向上させることが可能である。
【００１１】
更に、請求項４に係る温冷蔵装置では、補強壁部は、第１壁部に対して第１支持アームが取り付けられた取り付け位置と、第２壁部に対して第２支持アームが取り付けられた取り付け位置とを連結するように形成されているので、第１支持アーム及び第２支持アームを取り付けることにより単位仕切壁に生じる負荷に対しての補強をすることが可能である。
【発明を実施するための最良の形態】
【００１２】
以下、本発明に係る補助電動式配膳車１について具体化した実施形態について図面を用いて説明する。先ず、補助電動式配膳車１の全体構造について図１及び図２に基づいて説明する。図１は本実施形態に係る補助電動式配膳車の正面図、図２は本実施形態に係る補助電動式配膳車の左側面図である。
本実施形態の補助電動式配膳車１は、図１に示すように、表裏両面の開口された矩形状の断熱箱体からなる配膳車本体２（以下、単に本体という）を備えている。
本体２内は、断熱壁３、４（図３参照）により前後方向に３つの部屋に仕切られ、さらに各部屋が断熱性の仕切壁５、６、７により前後２つに仕切られて、合計６室が形成されている。各部屋は、第１温蔵室８、第１冷蔵室９、第２冷蔵室１０、第２温蔵室１１、第３温蔵室１２、第３冷蔵室１３が順に（図１の左から順に）形成されている。
これらの各温蔵室及び冷蔵室は、それぞれ隣り合う第１温蔵室８及び第１冷蔵室９と、第２冷蔵室１０及び第２温蔵室１１と、第３温蔵室１２及び第３冷蔵室１３とが対をなし、それぞれに観音開き式の扉１４が装備されている。そして、本体２内に食膳用トレイ（図示せず）を出し入れできるように構成されている。
【００１３】
更に、本体２の上面には機械室１６が設けられ、第１温蔵室８、第２温蔵室１１、第３温蔵室１２を加熱する加熱装置（図示せず）や、第１冷蔵室９、第２冷蔵室１０、第３冷蔵室１３を冷却する冷凍ユニット（図示せず）が装備されている。そして、各温冷蔵室の温度を設定する温度設定パネル１７が機械室１６の壁部に形成されている。
対をなす第１温蔵室８及び第１冷蔵室９と、第２冷蔵室１０及び第２温蔵室１１と、第３温蔵室１２及び第３冷蔵室１３とは、仕切壁５、６、７に固定された支持アーム４４、４５の先端に取り付けられたトレイ受け４６、４７（図３、図４参照）により複数段にわたって棚が形成されており、温食と冷食とを区分けして載置した食膳用トレイが仕切壁５、６、７を貫通しつつトレイ受け４６、４７上に載せられることにより、一つのトレイに載せられた温食が温蔵室８、１１、１２に、冷食が冷蔵室９、１０、１３にそれぞれ収容されて、温蔵または冷蔵されるようになっている。尚、仕切壁５、６、７に関しては後に詳細に説明する。
【００１４】
また、本体２の底面外周部にはバンパ１９が設けられるとともに、本体２の底面には左右一対ずつの車輪２１、２２が装備されている。車輪２１が自在輪であり、車輪２２が駆動輪となっている。また、車輪２２側の端部には補助車輪２３が設けられている。補助車輪２３は、補助電動式配膳車１を坂道等の勾配のある場所で使用する際に、補助電動式配膳車１の転倒を防止する為のものである。
そして、車輪２２の近傍には、車輪２２の駆動手段たる駆動モータ（図示せず）が装備されている。この駆動モータは正逆両方向に駆動される可逆モータであって、駆動源となる充電式のバッテリ（図示せず）が後述するケーシング３０内に装備されている。また、本体２の操作部が設けられる側面の略中央部には、車輪２２をロックするペダルロック２６が配設されている（図２参照）。
【００１５】
補助電動式配膳車１を走行操作する際に操作を行う操作部は左右対称に二箇所設けられており、本体２の右側面側（図１右側）に主操作部２８が設けられ、また、本体２の左側面側（図１左側）に副操作部２９が設けられている。主操作部２８、及び副操作部２９には、ケーシング３０、３１が張り出して取り付けられ、ケーシング３０、３１中には各種制御を行うコントローラユニット、機構部、バッテリ等が収容されている。
【００１６】
次に、主操作部２８及び副操作部２９の構成について説明する。尚、主操作部２８、及び副操作部２９は、操作した際の補助電動式配膳車１の走行方向が異なるだけであり、基本的に同じ構成を有する。そこで、以下には主操作部２８の構成を例にとって説明することとし、副操作部２９の説明については省略する。
図２に示すように、主操作部２８は、上記のケーシング３０の左右の側面を貫通するようにしてハンドル軸３２が軸線回りの回転自由に支持されており、このハンドル軸３２に本体２を引きまたは押し操作するためのハンドル３３が取付られている。このハンドル３３はコ字形に形成されており、ケーシング３０を跨ぎつつ両端がハンドル軸３２の両端に固定されている。従って、ハンドル３３は、ハンドル軸３２を軸線回りに回転させつつ回動操作可能であって、ハンドル３３が上向きの鉛直姿勢を取った位置が中立位置であり、ハンドル３３を後方（図１左側）に回動しつつ本体２を後方に押し操作し、ハンドル３３を前方（図１右側）に回動しつつ本体２を前方に引き操作し得るようになっている。尚、押し操作、及び引き操作の際には、前記駆動輪たる車輪２２が走行をアシストするので、操作者は小さな力で補助電動式配膳車１を移動させることができる。
また、ケーシング３０上部には、補助電動式配膳車１の電源のＯＮ／ＯＦＦを切り換えるキースイッチ、非常停止スイッチ等が配置された操作パネル３６が設けられている。
【００１７】
また、ハンドル３３にはブレーキレバー３４が配設され、更に、ブレーキレバー３４に一端が接続された可撓性を有するチェーブ３５がクリップ等により主操作部２８に固定されている。そして、チューブ３５内には摺動可能に挿通されたブレーキワイヤ（図示せず）が設置されている。
ブレーキレバー３４を握ることによって、チューブ３５内に挿通されたブレーキワイヤが引っ張られ、公知の制御装置（特開２００２−２６４８１８号公報等参照）を介して各固定車輪に制動力が付与されるように構成されている。
【００１８】
次に、バンパ１９の構造について説明する。図１及び図２に示すように、バンパ１９は本体２の底面外周部に設けられており、補助電動式配膳車１が障害物に衝突したときに衝撃を吸収し、互いの衝撃を緩めるものである。更に、バンパ１９には、その進行方向に対して障害物を検知する各種センサが設けられている。各種センサは、障害物が一定距離（本実施形態では８０ｃｍ）に近づいたことを検知してケーシング３０中に設けられたコントローラユニットへ信号を出力する非接触型センサであるモーションセンサ３８と、障害物に接触したことを検知してケーシング３０中に設けられたコントローラユニットへ信号を出力する接触型センサであるベルトスイッチ（バンパセンサ）３９とがある。コントローラユニットは、バンパ１９に設けられたモーションセンサ３８及びベルトスイッチ３９からの検知信号が入力されることにより、車輪２２を駆動する駆動モータの駆動電源をオフし、補助電動式配膳車１の移動を停止する。
【００１９】
ここで、モーションセンサ３８は、前記駆動モータ用のバッテリからリード線等を介して電気供給されている。そして、内部にはそれぞれ受光部と投光部を備えており、投光部から投光し、障害物から反射してきた光を受光部で検知し、この反射角度が所定角度以内であれば、駆動モータを停止制御させている。
一方、ベルトスイッチ３９は、電極フィルムを弾性部材からなる外皮に封入した周知の帯状タッチセンサであり、その検知部に物体が衝突すると内部に設けられている導体部分が瞬間的に短絡されることにより、衝突を検知する仕組みとなっている。
【００２０】
次に、補助電動式配膳車１の内部構造について図３を用いて説明する。図３は、本実施形態に係る補助電動式配膳車の内部構造について示した正面図である。
図３に示すように、補助電動式配膳車１の本体２内は、断熱壁３、４により前後方向に３つの部屋に仕切られ、さらに各部屋が断熱性の仕切壁５、６、７により前後２つに仕切られて、第１温蔵室８、第１冷蔵室９、第２冷蔵室１０、第２温蔵室１１、第３温蔵室１２、第３冷蔵室１３がそれぞれ形成されている。
これらの各温蔵室及び冷蔵室は、それぞれ隣り合う第１温蔵室８及び第１冷蔵室９と、第２冷蔵室１０及び第２温蔵室１１と、第３温蔵室１２及び第３冷蔵室１３とが対をなし、それぞれに観音開き式の扉１４が装備されている。そして、温食と冷食とを区分けして載置した食膳用トレイが仕切壁５、６、７を形成する複数個の単位仕切壁４３の間に貫通させつつトレイ受け４６、４７上に載せられることにより、一つのトレイに載せられた温食が温蔵室８、１１、１２に、冷食が冷蔵室９、１０、１３にそれぞれ収容されて、温蔵または冷蔵されるようになっている。
【００２１】
また、仕切壁５、６、７は、基台４２上に複数個の単位仕切壁４３を積み上げて形成されている。図４は本実施形態に係る単位仕切壁、及び単位仕切壁に固定された支持アーム、トレイ受けの斜視図、図５は本実施形態に係る単位仕切壁、及び単位仕切壁に固定された支持アーム、トレイ受けの正面図である。
基台４２は、例えば金属製の芯体に合成樹脂製の外殻体を被せた構造であって、断熱性を保有しており、ブラケット等により内装底板に固定されている。また、単位仕切壁４３の左右両面には一対の支持アーム４４、４５が突設され、更に両支持アーム４４、４５の先端に左右一対のトレイ受け４６、４７が設けられることでユニット化されている。
【００２２】
また、単位仕切壁４３の下部には可動部材４８が設けられている。可動部材４８は単位仕切壁４３と同じく合成樹脂製であって、単位仕切壁４３の下端側に前後一対が装着されるようになっている。また、可動部材４８と単位仕切壁４３の内部に形成された中央補強板５９との間には板バネ（図示せず）が装着され、可動部材４８は板バネの弾力により常には下向きに押圧付勢されている。そして、下端が単位仕切壁４３の下面から一定長さ突出した状態で保持されている。
可動部材４８は、食膳用トレイを単位仕切壁４３同士の間に貫通させた際に、上記の板バネの弾力に抗して、その下面が単位仕切壁４３の下面と面一となる位置まで上昇する。一方、食膳用トレイを取り出した際には、板バネの付勢により再び可動部材４８の下端が単位仕切壁４３の下面から一定長さ突出した状態となる。
【００２３】
また、単位仕切壁４３の正面側と背面側にはそれぞれ正面壁５２と背面壁５３が取り付けられ（図４参照）、中空状に形成された内部に水等が侵入することを防止すると共に、単位仕切壁４３全体を補強する役目も有する。更に、正面壁５２及び背面壁５３の表面側にはステンレス板５４がインサートされている。そして、扉１４を閉鎖した際に、扉１４の内側に設けられたマグネットパッキン（図示せず）がステンレス板５４に密接し、各温蔵室及び冷蔵室を密閉することが出来る。
【００２４】
ここで、単位仕切壁４３は、合成樹脂材の射出成形により形成されている。図６は本実施形態に係る単位仕切壁の側面図、図７は本実施形態に係る単位仕切壁の上面図、図８は図７の線Ａ−Ａで単位仕切壁を切断した矢視断面図、図９は図７の線Ｂ−Ｂで単位仕切壁を切断した矢視断面図、図１０は図７の線Ｃ−Ｃで単位仕切壁を切断した矢視断面図である。尚、図６乃至図１０に関しては単位仕切壁４３より可動部材４８を取り外した状態の単位仕切壁を示した図である。
【００２５】
単位仕切壁４３は、図８に示すように、上端側を山形に尖らせた縦長断面の中空状に形成され、本体２内のほぼ奥行き寸法に匹敵する長さを有している。そして、単位仕切壁４３の温蔵室８、１１、１２側に配される第１壁部４９に支持アーム４４が取り付けられ、冷蔵室９、１０、１３側に配される第２壁部５０に支持アーム４５が取り付けられている（図４参照）。
また、単位仕切壁４３の内部には、図８に示すように下端部に間隔を開けた２枚の下部補強板５５、５６が第１壁部４９及び第２壁部５０に形成され、下部補強板５５、５６の幅方向中央部においては、前記可動部材４８が摺動する摺動案内溝５７が形成されている。また、下部補強板５５、５６の上部には中央補強板５９が第１壁部４９及び第２壁部５０間を連結して設けられており、前記可動部材４８の板バネが下部補強板５５、５６との間で装着される。
【００２６】
更に、中央補強板５９の上方で、且つ支持アーム４４、４５が固定される長手方向中央位置には、補強壁部６０が設けられている。補強壁部６０は、図６及び図８に示すように第１壁部４９及び第２壁部５０にそれぞれ形成された略四角形状の側壁６２、６３と、側壁６２、６３において第１壁部４９及び第２壁部５０をそれぞれ連結する第１連結壁６４と第２連結壁６５とから構成されている。
尚、補強壁部６０は、下部補強壁５５、５６及び中央補強壁５９とともに一体に単位仕切壁４３として合成樹脂により成形されている。従って、補強が必要となる長手方向の中央部のみを連結させた補強壁部６０を成形できる。更に、樹脂により成形されるので、安価で、且つ金属で成形した場合と比較して仕切壁５、６、７の断熱性を向上させることが可能である。
【００２７】
ここで、側壁６２は、第1壁部４９において支持アーム４４が固定される位置の裏側に形成され、側壁６３は、第２壁部５０において支持アーム４５が固定される位置の裏側に形成されている（図１１参照）。従って、補強壁部６０を設けることにより、金属製の支持アーム４４、４５を両側に取り付けたことによって合成樹脂製の単位仕切壁４３に生じる負荷に対して、その補強をすることができる。
【００２８】
また、第１壁部４９及び第２壁部５０の補強壁部６０が設けられた略中央部には、後述の固定ネジ９２、９３（図１１参照）を固定する固着部であるインサートナット６７、６８がそれぞれ設けられている。インサートナット６７、６８は、ネジ溝が切られたナットが内部に埋め込まれたものであり、別途ナットを用いることなくネジを容易に固定できるものである。ここで、第２連結壁６５はその長手方向の中央部分において略円筒状に形成されており、その円筒部分の内部にインサートナット６７、６８が設けられている（図８、図９参照）。
尚、単位仕切壁４３に対する支持アーム４４、４５の取り付け構造については、後に詳細に説明する。
【００２９】
そして、補強壁部６０が内部に設けられた第１壁部４９及び第２壁部５０の中央付近の壁面には、円筒状の係合部である突起７０、７１、７２、７３がそれぞれ設けられている。具体的には、第１壁部４９に、突起７０、７１がインサートナット６７を中心にして斜め方向に対称に配置されている。また、第２壁部５０には、突起７２、７３がインサートナット６８を中心にして斜め方向に対称に配置されている。尚、第１壁部４９に設けられた突起７０、７１と、第２壁部５０に設けられた突起７２、７３とは配置が互い違いになるように、即ち各突起の方向が同じ直線状に位置しないように配置されている（図１１参照）。
【００３０】
一方、単位仕切壁４３に取り付けられる各支持アーム４４、４５は、図４に示すように、ステンレス鋼製の帯状の板材を曲げ加工して形成されており、温蔵室側に配される第１壁部４９に取り付けられた支持アーム４４の方が、冷蔵室側に配される第２壁部５０に取り付けられた支持アーム４５よりも間口寸法に合わせて長く形成されている。また、支持アーム４５には、冷気を縦方向に循環させるための複数個の通孔７４が長さ方向に間隔を開けて開口されている。尚、本実施形態にかかる補助電動式配膳車１では、温蔵室と冷蔵室の間口寸法に合わせて支持アーム４４が支持アーム４５より長く形成されているが、温蔵室と冷蔵室の間口寸法を同じにし、各支持アームの長さを同じ長さとしても良い。
そして、各支持アーム４４、４５とトレイ受け４６、４７はそれぞれ整合された二箇所のネジ孔に対してネジ７５を用いることにより固定させている。また、トレイ受け４６、４７の外側両端部には長孔に形成されたピン孔７６が設けられており、各温蔵室８、１１、１２と冷蔵室９、１０、１３の壁面から突出されたピン７７に対して４つのピン孔７６を合わせ、それぞれ挿入する。それにより、単位仕切壁４３は各温蔵室８、１１、１２と冷蔵室９、１０、１３内に支持される（図３参照）。
【００３１】
また、下向きに折曲され、単位仕切壁４３に取り付ける際に、第１壁部４９及び第２壁部５０に接する固定板７９、８０には、中央に固着部であるネジ孔８１、８２がそれぞれ形成されている。そして、更に、固定板７９には、ネジ孔８１を中心にして斜め方向に、突起７０、７１に係合する被係合部である係合孔８３、８４が対称の位置に形成されている。また、固定板８０には、ネジ孔８２を中心にして斜め方向に、突起７２、７３に係合する被係合部である係合孔８５、８６が対称の位置に形成されている（図１１参照）。
【００３２】
次に、図１１に基づいて単位仕切壁４３に対する支持アーム４４、４５の取り付け構造について説明する。図１１は本実施形態にかかる単位仕切壁に対する支持アームの取り付け構造を示した分解斜視図である。
図１１に示すように、単位仕切壁４３の左右両面にあたる第１壁部４９及び第２壁部５０には、長手方向の中央部で且つ中央高さ位置に、支持アーム４４、４５の取付部８９、９０が設定されている。また、前記したように単位仕切壁４３における上記した取付部８９、９０の内側には、第１壁部４９と第２壁部５０とを連結する補強部材６０が第１壁部４９及び第２壁部５０と一体に形成されている。
【００３３】
ここで、取付部７９は、インサートナット６７と突起７０、７１とから構成され、取付部８０は、インサートナット６８と突起７２、７３とから構成されている。
支持アーム４４を第１壁部４９に取り付ける際には、図１１に示すように、支持アーム４４の固定板７９に形成された係合孔８３、８４を、第１壁部４９の取付部８９に形成された突起７０、７１にそれぞれ係合させる。その後、ネジ孔８１を介して固定ネジ９２によりインサートナット６７にネジ止めする。
従って、突起７０、７１を係合孔８３、８４に係合させることにより、支持アーム４４を第１壁部４９に対して位置決めすると共に回転することを防止し、固定ネジ１本のみによって容易に支持アーム４４を取り付けることが可能である。
【００３４】
一方、支持アーム４５を第２壁部５０に取り付ける際には、図１１に示すように、支持アーム４５の固定板８０に形成された係合孔８５、８６を、第２壁部５０の取付部９０に形成された突起７２、７３にそれぞれ係合させる。その後、ネジ孔８２を介して固定ネジ９３によりインサートナット６８に対してネジ止めする。
従って、突起７２、７３を係合孔８５、８６に係合させることにより、支持アーム４５を第２壁部５０に対して位置決めすると共に回転することを防止し、固定ネジ１本のみによって容易に支持アーム４５を取り付けることが可能である。
【００３５】
以上詳細に説明したとおり、本実施形態に係る補助電動式配膳車１では、支持アーム４４は第１壁部４９に対して、突起７０、７１を係合孔８３、８４に係合させるとともに、１本の固定ネジ９２のみによってネジ孔８１を介してインサートナット６７に固定することが可能である。従って、支持アーム４４は単位仕切壁４３に対しての取り付け及び取り外しが容易となるとともに、固定に要する固定具の数も減少することから組立作業が簡易となる。更に、ネジ等による締め付け部分を減少させることができるので、応力集中によって樹脂製の第１壁部４９が破損することを防止することができる。また同様に、支持アーム４５は第２壁部５０に対して、突起７２、７３を係合孔８５、８６に係合させるとともに、固定ネジ９３のみによって支持アーム４５を固定するので、固定ネジを１本使用することのみによって支持アーム４５を取り付けることが可能である。従って、支持アーム４５は単位仕切壁４３に対しての取り付け及び取り外しが容易となるとともに、固定ネジ９３をネジ孔８２を介してインサートナット６８に固定することにより取り付けることが可能である。従って、支持アーム４５は単位仕切壁４３に対しての取り付け及び取り外しが容易となるとともに、固定に要する固定具の数も減少することから組立作業が簡易となる。更に、ネジ等による締め付け部分を減少させることができるので、応力集中によって樹脂製の第２壁部５０が破損することを防止することができる
【００３６】
また、第１壁部４９に設けられた支持アーム４４を取り付ける取付部８９の内側と、第２壁部５０に設けられた支持アーム４５を取り付ける取付部９０の内側とを連結する補強壁部６０を、第１壁部４９及び第２壁部５０とともに単位仕切壁４３として射出成形により一体に成形されるので、単位仕切壁４３に対して補強部材を別途取り付ける必要がなく組立工数を減少させることができる。また、補強壁部６０は樹脂により成形されるので、安価で、且つ金属で成形した場合と比較して断熱性を向上させることが可能である。また、補強が必要となる長手方向の中央部のみを連結させた補強壁部６０を成形することができる。
更に、補強壁部６０は取付部８９の内側と取付部９０の内側とを連結するように設けられているので、支持アーム４４、４５を取り付けることにより単位仕切壁４３に生じる負荷に対しての補強をすることが可能である。
【００３７】
尚、本発明は前記実施形態に限定されるものではなく、本発明の趣旨を逸脱しない範囲内で種々の改良、変形が可能であることは言うまでもない。
例えば、本実施形態においては、第１壁部４９及び第２壁部５０に突起７０、７１、７２、７３が設けられ、支持アーム４４、４５に突起７０、７１、７２、７３に係合する係合孔８３、８４、８５、８６が設けられているが、支持アーム４４、４５に突起７０、７１、７２、７３を設け、第１壁部４９及び第２壁部５０に突起７０、７１、７２、７３に係合する係合孔８３、８４、８５、８６を設けても良い。
【００３８】
また、本実施形態においては、単位仕切壁４３に支持アーム４４、４５を取り付ける際には、取付部８９、９０にそれぞれ設けられた二箇所の突起７０、７１、７２、７３に対して係合孔８３、８４、８５、８６を係合させると共に、支持アーム４５、４４にそれぞれ一箇所設けられたネジ孔８１、８２を介してインサートナット６７、６８に固定ネジ９２、９３を用いて固定することとしていたが、インサートナット及びネジ孔の数はそれぞれの取付部８９、９０及び支持アーム４５、４４に対して一箇所とは限らず２箇所以上設けも良い。図１２は、前記他の実施形態に係る単位仕切壁に対する支持アームの取り付け構造を示した分解斜視図である。
図１２に示すように、取付部７９は突起７０、７１と、インサートナット９５、９６とから構成され、取付部８０は突起７２、７３と、インサートナット９７、９８とから構成されている。
支持アーム４４を第１壁部４９に取り付ける際には、図１２に示すように、支持アーム４４の固定板７９に形成された係合孔８３、８４を、第１壁部４９の取付部８９に形成された突起７０、７１にそれぞれ係合させる。その後、同じく支持アーム４４に対角線状に形成されたネジ孔９９、１００を介して固定ネジ１０３、１０４によりインサートナット９５、９６に対してネジ止めする。
従って、固定ネジを１本のみ使用した場合に比べ、より強固に支持アーム４４を固定することが可能である。
一方、支持アーム４５を第２壁部５０に取り付ける際には、図１２に示すように、支持アーム４５の固定板８０に形成された係合孔８５、８６を、第２壁部５０の取付部９０に形成された突起７２、７３にそれぞれ係合させる。その後、同じく支持アーム４５に対角線状に形成されたネジ孔１０１、１０２を介して固定ネジ１０５、１０６によりインサートナット９７、９８に対してネジ止めする。
従って、固定ネジを１本のみ使用した場合に比べ、より強固に支持アーム４５を固定することが可能である。
【００３９】
更に、本実施形態においては、取付部８９、９０にインサートナット６７、６８をそれぞれ設け、２本の固定ネジ９２、９３によって支持アーム４４、４５を両側にそれぞれ固定することとしていたが、長尺の固定ネジ１本のみによって、支持アーム４４、４５を同時に固定することも可能である。図１３は、前記他の実施形態に係る単位仕切壁に対する支持アームの取り付け構造を示した分解斜視図である。
図１３に示すように、取付部８９にはインサートナットではなく、ねじ切り等がされていない通過孔１０８が設けられている。また、取付部９０には、同じく通過孔１０９が設けられている。尚、通過孔１０８及び通過孔１０９は、貫通孔１１２を介して第１壁部４９から第２壁部５０へと貫通されて形成されている。
支持アーム４４及び支持アーム４５を第１壁部４９及び第２壁部５０に取り付ける際には、図１３に示すように、支持アーム４４の固定板７９に形成された係合孔８３、８４を、第１壁部４９の取付部８９に形成された突起７０、７１にそれぞれ係合させるとともに、支持アーム４５の固定板８０に形成された係合孔８５、８６を、第２壁部５０の取付部９０に形成された突起７２、７３にそれぞれ係合させる。その後、長尺の固定ネジ１１０を、第１壁部４９側より、ネジ孔８１、通過孔１０８、貫通孔１１２、通過孔１０９、ネジ孔８２の順に通過させ、第２壁部５０側よりナット１１１により固定する。
従って、固定ネジ１１０を１本使用することのみにより支持アーム４４、４５を同時に固定できるので、支持アーム４４、４５は単位仕切壁４３に対しての取り付け及び取り外しがより容易となるとともに、固定に要する固定具の数も減少することから組立作業が簡易となる。
【図面の簡単な説明】
【００４０】
【図１】本実施形態に係る補助電動式配膳車の正面図である。
【図２】本実施形態に係る補助電動式配膳車の左側面図である。
【図３】本実施形態に係る補助電動式配膳車の内部構造について示した正面図である。
【図４】本実施形態に係る単位仕切壁、及び単位仕切壁に固定された支持アーム、トレイ受けの斜視図である。
【図５】本実施形態に係る単位仕切壁、及び単位仕切壁に固定された支持アーム、トレイ受けの正面図である。
【図６】本実施形態に係る単位仕切壁の側面図である。
【図７】本実施形態に係る単位仕切壁の上面図である。
【図８】図７の線Ａ−Ａで単位仕切壁を切断した矢視断面図である。
【図９】図７の線Ｂ−Ｂで単位仕切壁を切断した矢視断面図である。
【図１０】図７の線Ｃ−Ｃで単位仕切壁を切断した矢視断面図である。
【図１１】本実施形態にかかる単位仕切壁に対する支持アームの取り付け構造を示した分解斜視図である。
【図１２】他の実施形態にかかる単位仕切壁に対する支持アームの取り付け構造を示した分解斜視図である。
【図１３】他の実施形態にかかる単位仕切壁に対する支持アームの取り付け構造を示した分解斜視図である。
【符号の説明】
【００４１】
１………補助電動式配膳車      ２………本体      ５、６、７………仕切壁
８………第１温蔵室      ９………第１冷蔵室      １０………第２冷蔵室
１１………第２温蔵室      １２………第３温蔵室      １３………第３冷蔵室
４３………単位仕切壁      ４５、４４………支持アーム      ４９………第１壁部
５０………第２壁部      ６０………補強壁部      ６１、６２………側壁
６４………第１連結壁      ６５………第２連結壁
６７、６８………インサートナット      ７０、７１、７２、７３………突起
８３、８４、８５、８６………係合孔
【図１】
2005241040.tif 000003
【図２】
2005241040.tif 000004
【図３】
2005241040.tif 000005
【図４】
2005241040.tif 000006
【図５】
2005241040.tif 000007
【図６】
2005241040.tif 000008
【図７】
2005241040.tif 000009
【図８】
2005241040.tif 000010
【図９】
2005241040.tif 000011
【図１０】
2005241040.tif 000012
【図１１】
2005241040.tif 000013
【図１２】
2005241040.tif 000014
【図１３】
2005241040.tif 000015